【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
支持体、該支持体上に形成された下引き層、および該下引き層上に形成された感光層を有する電子写真感光体において、
該下引き層が下記式（１）で示される構造を有する硬化物を含有することを特徴とする電子写真感光体。
【化１】
2014029485.tif 000001
（式（１）中、Ｒ１およびＲ３は、それぞれ独立に、置換もしくは無置換の主鎖の原子数が１から１０のアルキレン基、または置換もしくは無置換のフェニレン基を示す。Ｒ２は、単結合、置換もしくは無置換の主鎖の原子数が１から１０のアルキレン基、または置換もしくは無置換のフェニレン基を示す。該置換のアルキレン基の置換基は、アルキル基、アリール基、ヒドロキシ基、またはハロゲン原子である。該置換のフェニレン基の置換基は、ハロゲン原子、ニトロ基、シアノ基、ヒドロキシ基、アルキル基、またはハロゲン置換アルキル基である。Ｒ９は、水素原子、またはアルキル基を示す。Ａ１は、下記式（Ａ−１）〜（Ａ−６）で示されるいずれかの基を示す。Ｂ１は、下記式（Ｂ−１）〜（Ｂ−３）のいずれかで示される基を示す。Ｄ１は、下記式（Ｄ）で示される主鎖の原子数が５から１５の基である。Ｅ１は、下記式（Ｅ−１）〜（Ｅ−８）のいずれかで示される基である。）
【化２】
2014029485.tif 000002
（Ｒ１０は水素原子、またはアルキル基を示す。）
【化３】
2014029485.tif 000003
（式（Ｂ−１）〜（Ｂ−３）中、Ｒ２は、単結合、置換もしくは無置換の主鎖の原子数が１から１０のアルキレン基、または置換もしくは無置換のフェニレン基を示す。Ｒ６およびＲ７は、それぞれ独立に、主鎖の原子数が１から５のアルキレン基、炭素数が１から５のアルキル基で置換された主鎖の原子数が１から５のアルキレン基、ベンジル基で置換された主鎖の原子数１から５のアルキレン基、アルコシキカルボニル基で置換された主鎖の原子数１から５のアルキレン基、またはフェニル基で置換された主鎖の原子数が１から５のアルキレン基を示す。アルキレン基の主鎖中の炭素原子の１つは、Ｏ、Ｓ、ＮＨまたはＮＲ１５で置き換わっていても良い。Ｒ１５はアルキル基である。Ａｒ２は、置換もしくは無置換のフェニレン基を示す。該置換のフェニレン基の置換基は、ハロゲン原子、ニトロ基、ヒドロキシ基、シアノ基、アルキル基、またはハロゲン化アルキル基である。Ｒ１２は、水素原子またはアルキル基を示す。Ａ１およびＡ２は、前記式（Ａ−１）〜（Ａ−６）で示されるいずれかの基を示す。ｏ、ｐおよびｑは、それぞれ独立に、０または１であり、ｏ、ｐおよびｑの和は、１以上３以下である。＊は、上記式（１）中のＲ３に結合する側を表す。）
【化４】
2014029485.tif 000004
（式（Ｄ）中、Ｒ４、Ｒ５、Ｒ６およびＲ７は、それぞれ独立に、主鎖の原子数が１から５のアルキレン基、炭素数が１から５のアルキル基で置換された主鎖の原子数が１から５のアルキレン基、ベンジル基で置換された主鎖の原子数１から５のアルキレン基、アルコシキカルボニル基で置換された主鎖の原子数１から５のアルキレン基、またはフェニル基で置換された主鎖の原子数が１から５のアルキレン基を示す。アルキレン基の主鎖中の炭素原子の１つは、Ｏ、Ｓ、ＮＨまたはＮＲ１５で置き換わっていても良い。Ｒ１５はアルキル基である。Ａｒ１およびＡｒ２は、それぞれ独立に、置換もしくは無置換のフェニレン基を示す。該置換のフェニレン基の置換基は、ハロゲン原子、ニトロ基、ヒドロキシ基、シアノ基、アルキル基、またはハロゲン化アルキル基である。Ａ２は、前記式（Ａ−１）〜（Ａ−６）のいずれかで示される基を示す。ｌ、ｍ、ｎ、ｏ、ｐおよびｑは、それぞれ独立に、０または１であり、ｌ、ｍおよびｎの和、ｏ、ｐおよびｑの和は、１以上３以下である。）
【化５】
2014029485.tif 000005
（式（Ｅ−１）〜（Ｅ−８）中、Ｘ１１〜Ｘ１６、Ｘ２１〜Ｘ２９、Ｘ３１〜Ｘ３６、Ｘ４１〜Ｘ４８、Ｘ５１〜Ｘ５８、Ｘ６１〜Ｘ６６、Ｘ７１〜Ｘ７８、およびＸ８１〜Ｘ８８は、それぞれ独立に、単結合、水素原子、ハロゲン原子、アルコキシカルボニル基、カルボキシル基、シアノ基、ジアルキルアミノ基、ヒドロキシ基、複素環基、ニトロ基、置換もしくは無置換のアルコキシ基、または置換もしくは無置換のアルキル基を示す。
Ｘ１１〜Ｘ１６の少なくとも１つ、Ｘ２１〜Ｘ２９の少なくとも１つ、Ｘ３１〜Ｘ３６の少なくとも１つ、Ｘ４１〜Ｘ４８の少なくとも１つ、Ｘ５１〜Ｘ５８の少なくとも１つ、Ｘ６１〜Ｘ６６の少なくとも１つ、Ｘ７１〜Ｘ７８の少なくとも１つ、およびＸ８１〜Ｘ８８の少なくとも１つは、単結合である。
Ｚ５１〜Ｚ５２、Ｚ６１〜Ｚ６２、およびＺ８１は、それぞれ独立に、酸素原子、Ｃ（ＣＮ）２基、またはＮ−Ｒ１１を示す。Ｒ１１は、置換もしくは無置換のアリール基、または置換もしくは無置換のアルキル基を示す。）
【請求項２】
前記硬化物が、さらに、下記式（２）で示される構造を有する請求項１に記載の電子写真感光体。
【化６】
2014029485.tif 000006
（式（２）中、Ｒ８は、置換もしくは無置換の炭素数が１から５のアルキル基を示す。該置換の炭素数が１から５のアルキル基の置換基は、アルキル基、アリール基またはハロゲン原子である。）
【請求項３】
前記Ｄ１中、前記式（Ｄ）で示される主鎖の原子数が１０以上１５以下の基である請求項１または２に記載の電子写真感光体。
【請求項４】
前記式（Ｄ）中のＲ４、Ｒ５、Ｒ６およびＲ７が、それぞれ独立に、メチル基もしくはエチル基置換の主鎖の原子数が１から５のアルキレン基、または主鎖の原子数が１から５のアルキレン基である請求項１から３のいずれか１項に記載の電子写真感光体。
【請求項５】
前記式（Ｄ）中のＡｒ１およびＡｒ２が、フェニレン基である請求項１から４のいずれか１項に記載の電子写真感光体。
【請求項６】
請求項１から５のいずれか１項に記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項７】
請求項１から５のいずれか１項に記載の電子写真感光体、ならびに、帯電手段、露光手段、現像手段および転写手段を有する電子写真装置。
【手続補正２】
【補正対象書類名】明細書
【補正対象項目名】００１０
【補正方法】変更
【補正の内容】
【００１０】
本発明は、支持体、該支持体上に形成された下引き層、該下引き層上に形成された感光層を有する電子写真感光体において、
該下引き層が下記式（１）で示される構造を有する硬化物を含有することを特徴とする電子写真感光体。
【手続補正３】
【補正対象書類名】明細書
【補正対象項目名】００１１
【補正方法】変更
【補正の内容】
【００１１】
【化１】
2014029485.tif 000007
【手続補正４】
【補正対象書類名】明細書
【補正対象項目名】００１２
【補正方法】変更
【補正の内容】
【００１２】
式（１）中、Ｒ１およびＲ３は、それぞれ独立に、置換もしくは無置換の主鎖の原子数が１から１０のアルキレン基、または置換もしくは無置換のフェニレン基を示す。Ｒ２は、単結合、置換もしくは無置換の主鎖の原子数が１から１０のアルキレン基、または置換もしくは無置換のフェニレン基を示す。該置換のアルキレン基の置換基は、アルキル基、アリール基、ヒドロキシ基、またはハロゲン原子である。該置換のフェニレン基の置換基は、ハロゲン原子、ニトロ基、シアノ基、ヒドロキシ基、アルキル基、またはハロゲン置換アルキル基である。Ｒ９は、水素原子、またはアルキル基を示す。Ａ１は、下記式（Ａ−１）〜（Ａ−６）で示されるいずれかの基を示す。Ｂ１は、下記式（Ｂ−１）〜（Ｂ−３）のいずれかで示される基を示す。Ｄ１は、下記式（Ｄ）で示される主鎖の原子数が５から１５の基である。Ｅ１は、下記式（Ｅ−１）〜（Ｅ−８）のいずれかで示される基である。
【手続補正５】
【補正対象書類名】明細書
【補正対象項目名】００２０
【補正方法】変更
【補正の内容】
【００２０】
式（Ｅ−１）〜（Ｅ−８）中、Ｘ１１〜Ｘ１６、Ｘ２１〜Ｘ２９、Ｘ３１〜Ｘ３６、Ｘ４１〜Ｘ４８、Ｘ５１〜Ｘ５８、Ｘ６１〜Ｘ６６、Ｘ７１〜Ｘ７８、およびＸ８１〜Ｘ８８は、それぞれ独立に、単結合、水素原子、ハロゲン原子、アルコキシカルボニル基、カルボキシル基、シアノ基、ジアルキルアミノ基、ヒドロキシ基、複素環基、ニトロ基、置換もしくは無置換のアルコキシ基、または置換もしくは無置換のアルキル基を示す。
Ｘ１１〜Ｘ１６の少なくとも１つ、Ｘ２１〜Ｘ２９の少なくとも１つ、Ｘ３１〜Ｘ３６の少なくとも１つ、Ｘ４１〜Ｘ４８の少なくとも１つ、Ｘ５１〜Ｘ５８の少なくとも１つ、Ｘ６１〜Ｘ６６の少なくとも１つ、Ｘ７１〜Ｘ７８の少なくとも１つ、およびＸ８１〜Ｘ８８の少なくとも１つは、単結合である。
Ｚ５１〜Ｚ５２、Ｚ６１〜Ｚ６２、およびＺ８１は、それぞれ独立に、酸素原子、Ｃ（ＣＮ）２基、またはＮ−Ｒ１１を示す。Ｒ１１は、置換もしくは無置換のアリール基、または置換もしくは無置換のアルキル基を示す。
【手続補正６】
【補正対象書類名】明細書
【補正対象項目名】００２８
【補正方法】変更
【補正の内容】
【００２８】
【化６】
2014029485.tif 000008
【手続補正７】
【補正対象書類名】明細書
【補正対象項目名】００２９
【補正方法】変更
【補正の内容】
【００２９】
式（１）中、Ｒ１およびＲ３は、それぞれ独立に、置換もしくは無置換の炭素数１から１０のアルキレン基、または置換もしくは無置換のフェニレン基を示す。Ｒ２は、単結合、置換もしくは無置換の炭素数１から１０のアルキレン基、または置換もしくは無置換のフェニレン基を示す。Ｒ９は、水素原子、またはアルキル基を示す。Ａ１は、下記式（Ａ−１）〜（Ａ−６）で示されるいずれかの基を示す。Ｂ１は、下記式（Ｂ−１）〜（Ｂ−３）のいずれかで示される基を示す。Ｄ１は、下記式（Ｄ）で示される主鎖の原子数が５から１５の基である。Ｅ１は、下記式（Ｅ−１）〜（Ｅ−８）のいずれかで示される基である。
【手続補正８】
【補正対象書類名】明細書
【補正対象項目名】００４０
【補正方法】変更
【補正の内容】
【００４０】
式（Ｅ−１）〜（Ｅ−８）中、Ｘ１１〜Ｘ１６、Ｘ２１〜Ｘ２９、Ｘ３１〜Ｘ３６、Ｘ４１〜Ｘ４８、Ｘ５１〜Ｘ５８、Ｘ６１〜Ｘ６６、Ｘ７１〜Ｘ７８、およびＸ８１〜Ｘ８８は、それぞれ独立に、単結合、水素原子、ハロゲン原子、アルコキシカルボニル基、カルボキシル基、シアノ基、ジアルキルアミノ基、ヒドロキシ基、複素環基、ニトロ基、置換もしくは無置換のアルコキシ基、または置換もしくは無置換のアルキル基を示す。該置換アルコキシ基の置換基は、カルボキシル基、シアノ基、ジアルキルアミノ基、ヒドロキシ基、アルキル基、アルコキシ置換アルキル基、ハロゲン化アルキル基、アルコキシ基、アルコキシ置換アルコキシ基、ハロゲン置換アルコキシ基、ニトロ基、またはハロゲン原子である。該置換アルキル基の置換基は、カルボキシル基、シアノ基、ジアルキルアミノ基、ヒドロキシ基、アルキル基、アルコキシ置換アルキル基、ハロゲン化アルキル基、アルコキシ基、アルコキシ置換アルコキシ基、ハロゲン置換アルコキシ基、ニトロ基、またはハロゲン原子である。
Ｘ１１〜Ｘ１６の少なくとも１つ、Ｘ２１〜Ｘ２９の少なくとも１つ、Ｘ３１〜Ｘ３６の少なくとも１つ、Ｘ４１〜Ｘ４８の少なくとも１つ、Ｘ５１〜Ｘ５８の少なくとも１つ、Ｘ６１〜Ｘ６６の少なくとも１つ、Ｘ７１〜Ｘ７８の少なくとも１つ、およびＸ８１〜Ｘ８８の少なくとも１つは、単結合である。
Ｚ５１〜Ｚ５２、Ｚ６１〜Ｚ６２、およびＺ８１は、それぞれ独立に、酸素原子、Ｃ（ＣＮ）２基、またはＮ−Ｒ１１を示す。Ｒ１１は、置換もしくは無置換のアリール基、または置換もしくは無置換のアルキル基を示す。該置換のアリール基の置換基は、カルボキシル基、シアノ基、ジアルキルアミノ基、ヒドロキシ基、アルキル基、アルコキシ置換アルキル基、ハロゲン化アルキル基、アルコキシ基、アルコキシ置換アルコキシ基、ハロゲン置換アルコキシ基、ニトロ基、またはハロゲン原子である。該置換のアルキル基の置換基は、カルボキシル基、シアノ基、ジアルキルアミノ基、ヒドロキシ基、アルキル基、アルコキシ置換アルキル基、ハロゲン化アルキル基、アルコキシ基、アルコキシ置換アルコキシ基、ハロゲン置換アルコキシ基、ニトロ基、またはハロゲン原子である。